(57)【特許請求の範囲】
【請求項１】
建物における多層に連続するコンクリート壁を打設する方法であって、個々の層のコンクリート壁を成形する対面する各壁用型枠上に、コンクリート壁両側のプレキャスト版からなる上層階の床版の端部を載せ、この床版上にこの床版の階の壁用型枠を載せた状態に、複数層分の壁用型枠と床版とを配置し、これら複数層分の対面する壁用型枠の間と床版の端面間で形成される連続した空間にコンクリートを打設し、この打設の完了した複数層分のコンクリート壁の上方に、前記と同様に複数層分の壁用型枠と床版との配置、およびコンクリート打設を繰り返すことにより、多層に連続するコンクリート壁を打設し、前記床版はハーフプレキャスト版であり、この床版の上下の壁用型枠間に介在させる端部は、上下の壁用型枠の間を密封するように立上り部を有し、壁用型枠の下端部と、この下端部が載る床版の前記立上り部とには、互いに噛み合う噛合継手部を有するコンクリート壁打設方法。
【請求項２】
前記コンクリート壁は、隣合う鉄骨柱間のコンクリート壁であり、前記壁用型枠を前記鉄骨柱で支持する請求項１記載のコンクリート壁打設方法。
【発明の詳細な説明】
【０００１】
【発明の属する技術分野】
この発明は、多層の鉄筋コンクリート造建物のコンクリート壁打設方法に関する。
【０００２】
【従来の技術】
従来、鉄筋コンクリート造建物の施工方法としては、図７に示すように、各階毎に躯体を構築していく、いわゆる「積み重ね工法」が一般的である。この他の工法として、平面的にブロック分けを行い、各ブロック毎に上記「積み重ね工法」で施工する複合工法も有る。
【０００３】
【発明が解決しようとする課題】
しかし、上記「積み重ね工法」では、各階毎に、鉄筋工事−型枠工事−コンクリート打設のように各工程の工事を行うので、それぞれの工事毎に専門の職種が必要となり、工程管理が複雑となる。また、鉄筋工事や型枠工事では重機が、コンクリート工事ではポンプ車が、各階の施工毎に必要となり、コストがかかる。さらに、コンクリート養生期間中の作業の停滞も各階毎に生じるので、工程調整上の負担も大きく、工期が長くなる。
【０００４】
この発明の目的は、このような課題を解消し、効率的にかつ低コストで施工でき、工期を短縮できるコンクリート壁打設方法を提供することである。
【０００５】
【課題を解決するための手段】
この発明は、建物における多層に連続するコンクリート壁を打設する方法であって、以下の手順で行う。先ず、個々の層のコンクリート壁を成形する対面する各壁用型枠上に、上階の床版を構成するプレキャスト版の端部を載せ、さらに、この床版上に上階層の壁用型枠を載せる。これを繰り返すことで、複数層分の壁用型枠と床版とを配置する。次に、これら複数層分の対面する壁用型枠の間と床版の端面間で形成される連続した空間にコンクリートを打設する。この打設の完了した複数層分のコンクリート壁の上方に、前記と同様に複数層分の壁用型枠と床版との配置、およびコンクリート打設を繰り返すことにより、多層に連続するコンクリート壁を打設する。
この構成によると、プレキャスト版からなる床版の端部を型枠の一部として利用して、上下階の壁用型枠間の隙間を塞ぐようにすることにより、複数層分に連続した壁打設用の空間を形成するため、複数層分のコンクリート壁を同時に打設することができる。また、鉄筋工事や型枠工事も複数層分同時に行え、コンクリート養生の回数も少なくて済み、養生に伴う作業の停滞を少なくなる。このため、効率的にかつ低コストで施工でき、工期を短くできる。
【０００６】
上記構成において、床版をハーフプレキャスト版とし、この床版の上下の壁用型枠間に介在させる端部に、上下の壁用型枠の間を密封するように立上り部を設ける。この構成の場合、床版がハーフプレキャスト版でありながら、端部に立上がり部を有するため、上下の壁用型枠間の隙間を床版で塞ぐことができる。そのため、ハーフプレキャスト版の軽量性による優れた作業性を損なうことなく、複数層のコンクリート壁の同時打設が可能となる。
さらに、壁用型枠の下端部と、この下端部が載る床版の端部である前記立上り部とに、互いに噛み合う噛合継手部を形成する。この構成の場合、特別な処理を要することなく、床版と壁用型枠の突き合わせ部を密封でき、その箇所からコンクリートが漏れ出るのを防ぐことができる。壁用型枠の位置決め精度も向上する。
前記コンクリート壁が、隣合う鉄骨柱間のコンクリート壁である場合、前記壁用型枠を前記鉄骨柱で支持するようにしても良い。
【０００７】
【発明の実施の形態】
この発明の一実施形態を図１ないし図３と共に説明する。この実施形態は、鉄筋コンクリート造建物における多層に連続するコンクリート壁、例えば連続耐震壁を打設する方法である。まず、図１に示すように、同時にコンクリート壁を打設しようとする複数層分における最下階の床スラブ１の上に、その階のコンクリート壁を成形する対面する壁用型枠２，２を配置する。これら壁用型枠２，２は、セパレータ３およびはた材４，５等で組み立てる。図示した最下階の床スラブ１は、この例では建物の最下階の床スラブであるとする。前記の壁用型枠２，２の配置は、床スラブ１が硬化養生された後に行う。
【０００８】
次の工程では、壁用型枠２，２の上に、上階の床版を構成するプレキャスト版７の端部を載せる。この床版７の上に、その階のコンクリート壁を成形する対面する壁用型枠２，２を配置し、セパレータ３およびはた材４，５等で組み立てる。床版７は、図２および図３に示すようなハーフプレキャスト版からなり、この床版７の上下の壁用型枠２，２間に介在させる縁部は、上下の壁用型枠２，２の間を密封するように立上り部７ａを有するものとする。また、壁用型枠２の下端部と、この下端部が載る床版７の上記立上り部７ａの上端とには、互いに噛み合う噛合継手部２ａ，７ａａが形成してある。これにより、床版７の立上り部７ａと、壁用型枠２の下端部との接合箇所の密封性が向上し、壁用型枠２の位置決め精度も向上する。噛合継手部２ａ，７ａａは、合い欠き継ぎの継手部としたが、図２（Ｂ），（Ｃ）に示すような実継ぎ等の継手部であっても良い。なお、最下階の床スラブ１と、その上に載る壁用型枠２の下端部にも、床版７の場合と同様に、互いに噛み合う噛合継手部１ａ，２ａが形成してある。
床版７の立上り部７ａには、図２および図３（Ａ）に示すように、床スラブの上端筋等の主筋８を挿通する主筋挿通孔９を形成する。主筋挿通孔９に代えて、図３（Ｂ）に示すように、立上り部７ａの上端から下方に向けて切り欠いた主筋挿通スリット１０を形成しても良い。
【０００９】
このような壁用型枠２および床版７の配置工程を、複数階層分だけ繰り返し行う。コンクリート壁および床スラブの配筋作業は、壁用型枠２および床版７の配置後に複数階層分をまとめて行っても良く、また壁用型枠２や床版７の各階の配置作業と交互に行っても良い。このように複数階層分の壁用型枠２の配置および配筋を行った後、複数階層分の対面する壁用型枠２，２の間と、床版７の端面間で形成される連続した空間１２にコンクリートを打設する。
コンクリート打設は、同時に打設しようとする最下階の壁用型枠２の下部から行うことが好ましい。この場合、最下階の壁用型枠２に予め設けられた注入口にコンクリート注入管６を連結し、この注入管６を介して、コンクリートミキサー車の注入ホースから前記空間１２内にコンクリートを注入する。前記コンクリート注入管６は逆止め弁付きのものである。
各階のハーフプレキャスト版からなる床版７上には、配筋後、コンクリート１１を打設し、床スラブ１とする。各階の床スラブ１のコンクリート打設とコンクリート壁用空間１２のコンクリート打設とは、いずれを先に行っても良く、また並行して行っても良い。このハーフプレキャスト版を用いる床スラブ１は、ボイド空間２０を有するボイド工法のスラブとしてもよい。
【００１０】
このようにして、複数階層分のコンクリート壁が成形されると、このコンクリート壁の上側に、上記と同様の工程により、さらに複数階層分毎の壁用型枠２と床版７との配置、およびコンクリート打設を何度か繰り返す。これにより多階層にわたって連続するコンクリート壁を構築する。
【００１１】
このコンクリート壁打設方法によると、このように複数階層分のコンクリート壁を一度のコンクリート打設で形成できるため、効率的に施工でき、工期の短縮、コストの低下が図れる。しかも、コンクリート壁の打ち継ぎ部分が少なくなって連続性が向上し、構造上の不良が発生し難い。すなわち、コンクリートの打ち継ぎ部分は、硬化したコンクリート上に別のコンクリートを打設することになるため、コンクリートの一体化不足による不良が発生し易いが、複数階層分の同時打設により、このようなコンクリートの接合不良となり易い個所が少なくなり、強度、信頼性が向上する。さらに、複数階層分の壁用型枠２を配置した状態でコンクリート打設することから、鉄筋のジョイント個所も少なくできる可能性があり、これによっても省力化が図れる。
【００１２】
また、この実施形態では、床版７をハーフプレキャスト版としたので、床版７が軽量となり、壁用型枠２と床版７との組み合わせ配置の作業が、それだけ簡単になる。なお、このほか、図４に示す参考提案例のように、予め主筋８その他の鉄筋を配筋したフルプレキャスト版からなる床版７Ａを使用しても良い。この床版７Ａの場合も、壁用型枠２の下端部が載る端部には、壁用型枠２の噛合継手部２ａと噛み合う噛合継手部７Ａａを形成する。このように、フルプレキャスト版からなる床版７Ａを採用した場合には、各階層の床スラブのコンクリート打設工程を省略できるので、それだけ建物全体の施工能率が向上する。
このほか、予め主筋を埋込設置したハーフプレキャスト版からなる床版を使用しても良い。
【００１３】
また、上記実施形態では、壁用型枠２，２の間と、床版７の端面間で形成される連続した空間１２の最下部からコンクリートを圧入する場合を示したが、図５に示すように、トレミー管１３や、ポンプ車配管により、上方からコンクリートを打設するようにしても良い。
【００１４】
また、このコンクリート壁打設方法を、例えば図６に示すように、鉄骨柱１４，１４間のコンクリート壁１５を構築する場合に採用した場合には、壁用型枠２を鉄骨柱１４を利用して支持することができ、コンクリート壁１５の構築をより簡単に行うことができ、一層の工期短縮が図れる。また、このコンクリート壁打設方法を、ＣＦＴ柱（コンクリート充てん鋼管柱），プレキャスト梁，または鉄筋コンクリート梁等と組み合わせた場合にも、より一層工期を短縮することができる。
【００１５】
【発明の効果】
この発明のコンクリート壁打設方法は、個々の層のコンクリート壁を成形する対面する各壁用型枠上に、コンクリート壁両側のプレキャスト版からなる上層階の床版の端部を載せ、この床版上にこの床板の階の壁用型枠を載せた状態に、複数層分の壁用型枠と床版とを配置し、これら複数層分の対面する壁用型枠の間と床版の端面間で形成される連続した空間にコンクリートを打設し、この打設の完了した複数層分のコンクリート壁の上方に、前記と同様に複数層分の壁用型枠と床版との配置、およびコンクリート打設を繰り返すことにより、多層に連続するコンクリート壁を打設するようにしたため、コンクート壁の複数層分の打設を同時に行える。このため、効率的かつ低コストで施工でき、工期を短縮できる。
また、前記床版をハーフプレキャスト版とし、この床版の上下の壁用型枠間に介在させる端部を、上下の壁用型枠の間を密封するように立上り部を有するものとしたため、床版にハーフプレキャスト版を使用しながら、上下の壁用型枠間の隙間を床版で封鎖でき、複数層の同時のコンクリート打設を実現できる。
また、壁用型枠の下端部と、この下端部が載る床版の端部である前記立上り部とに、互いに噛み合う噛合継手部を形成したため、特別な処理を要することなく、床版と壁用型枠の突き合わせ部を十分に密封でき、その箇所からコンクリートが漏れ出るのを防ぐことができる。壁用型枠の位置決め精度も向上する。
【図面の簡単な説明】
【図１】この発明の一実施形態に係るコンクリート壁打設方法による施工の説明図である。
【図２】（Ａ）は同方法における床版と壁用型枠の突合せ部を示す縦断面図、（Ｂ），（Ｃ）は各々その突合せ部の変形例の縦断面図である。
【図３】（Ａ）は同方法における床版の要部斜視図、（Ｂ）は同床版の他の例を示す要部斜視図である。
【図４】  参考提案例に係る床版と壁用型枠の突合せ部を示す縦断面図である。
【図５】この発明の他の実施形態に係るコンクリート壁打設方法による施工の説明図である。
【図６】鉄骨柱を使用した建物の要部を示す水平断面図である。
【図７】従来例を示す説明図である。
【符号の説明】
２…壁用型枠            ７ａ…立上り部
２ａ…噛合継手部          ７ａａ，７Ａａ…噛合継手部
７，７Ａ…床版            １２…空間
【図１】
0003907817.tif 000002
【図２】
0003907817.tif 000003
【図３】
0003907817.tif 000004
【図４】
0003907817.tif 000005
【図５】
0003907817.tif 000006
【図６】
0003907817.tif 000007
【図７】
0003907817.tif 000008